Podtech/llm-jp-corpus-v4-ja_patent huggingface dataset:
(57)【要約】      （修正有）【課題】柔軟にして透明な窓を設け、業務資格証及び、入場許可証等、其の都度必要な、業務資格証及び、入場許可証等を外側から視認、確認が出来る構造を提供する。【解決手段】腰袋外面に透明性と、防水性、柔軟性のポケットを設ける事により、認識票の提示を求められても、作業中段の時間が短く、常に腰袋外面ポケット６に収納することで、破損、紛失等の事故を未然に防ぐ事が出来、利便性も向上する。【選択図】図２
0003174967.tif 000002
【実用新案登録請求の範囲】
【請求項１】
腰袋外面に、透明性と防水性の有る材質（ビニール及びナイロン等の合成樹脂を含む、柔軟性の有る材質の窓を持つ、業務資格証及び、入場許可証等、一枚又は複数枚収納出来、チャック等で出し入れ出来る、ポケット。
【考案の詳細な説明】
【技術分野】
【０００１】本考案は、腰袋装置の利便性向上に関する。
【背景技術】
【０００２】腰袋は作業時等に、広く利用され、多種材質、多種形態の物が、生産販売され、多くの人々に愛用されているが、利便性は常に求められている。
【先行技術文献】
【特許文献】
【０００３】
【特許文献１】特許公開２００９−２４８２５４
【特許文献２】特許公開２００７−１３０７４０
【非特許文献】
【０００４】
【非特許文献１】登録実用新案第３０１２３２１号
【考案の概要】
【考案が解決しようとする課題】
【０００５】利便性、収納性に高い腰袋は、各種作業現場等で愛用され、各種工具、部品及び、通信器具等を分別収容する、ポケット部を持ち、大量に生産、販売されているが、最近では工事現場等で、業務資格証及び、入場許可証等の携行や、提示を求められる事が多く、其の都度提示しなくては成らない、度々提示する為に、取り出しと収納を繰り返せば、作業一時中断等の効率低下や、紛失又は、損傷等が危惧される。
【課題を解決するための手段】
【０００６】上記の様な、作業一時中断及び、業務資格証及び、入場許可証等の紛失や破損を、回避する為に、腰袋外面に、ナイロン、ビニール等を、材料とする、柔軟にして透明な窓を設け、業務資格証及び、入場許可証等、其の都度必要な、業務資格証及び、入場許可証等を外側から視認、確認が出来る構造を提案する。
【考案の効果】
【０００７】上記記載の如く、腰袋外面に透明な窓を設ける事により、業務資格証及び、入場許可証等を提示出来、作業の一時中断による、時間の浪費及び、業務資格証及び、入場許可証等の紛失や、損傷の可能性が低下、且つ、複数枚収納する為、各現場等で必要な、業務資格証及び、入場許可証等を、所持する事が出来る為、利便性の向上に効果が期待出来る。
【図面の簡単な説明】
【０００８】
【図１】本考案にかかる腰袋の斜視図である。
【図２】本考案のポケット部分の拡大図である。
【考案を実施するための形態】
【０００９】腰袋本体の外面に、業務資格証及び、入場許可証等、複数枚収納専用のポケットを新規に設置、外面に透明なナイロン又は、ビニール等耐水性の有る、合成樹脂等を窓として設け、出し入れする事無く、業務資格証及び、入場許可証等を提示出来る形態とする。
【実施例】
【００１０】以下、添付図面に従って一実施例を説明する、腰袋外面に透明性の有る材質（ビニール及びナイロン等の合成樹脂を含む、柔軟性の有る材質の窓を持つ、外側ポケットを設け、業務資格証及び、入場許可証等を出し入れする事無く、提示せしめる。【００１１】外側ポケットにはチャック又は、ホックを備えた出入り口を設け、業務資格証及び、入場許可証等を収納、提示出来、紛失や損傷の可能性が低下、且つ、複数枚収納出来る為、各現場等で必要な、業務資格証及び、入場許可証等を、所持する事が出来る為、利便性の向上に効果が期待出来る
【産業上の利用可能性】
【００１２】本考案の透明で防水性をもつ、窓を備えた外側ポケットを、装備した腰袋は、利便性が高く、建築、建設工事、設備工事、電気工事等、その他幅広い業種に活用出来、業務資格証及び、入場許可証等だけでなく、免許証、書類等多々証書、書面を提示及び、収納出来、多方面で使用できる。
【符号の説明】
【００１３】１  腰袋本体
２  ベルト吊り下げ部
３  通信機等収納用ポケット
４  開閉蓋片
５  本体外面
６  本考案外面ポケット
７  本考案「透明窓」
８  外面ポケットチャック部
【図１】
0003174967.tif 000003
【図２】
0003174967.tif 000004
【手続補正書】
【提出日】平成24年1月24日(2012.1.24)
【手続補正１】
【補正対象書類名】実用新案登録請求の範囲
【補正対象項目名】全文
【補正方法】変更
【補正の内容】
【実用新案登録請求の範囲】
【請求項１】
腰袋外面にポケットを備え、前期ポケットが透明性と防水性と柔軟性の有る合成樹脂からなる窓と、一枚又は複数枚の認識証の出し入れが出来るチャックとを有することを特徴とする、認識証表示形腰袋。
(57)【要約】【課題】本考案は支点を有効利用できるバタービーター、泡立て器及びその他の調理器具を置く時に、調理部分が下につかないようにするためのものである。調理器具の支点に付ける金属棒で形成した超軽量で小型の支持具を提供します。【解決手段】支持具とバタービーターを直角にして、支持具の中央横棒１をバタービーターの支点２に溶接等で固定して付ける。バタービーターの裏表どちら側に置いても、調理部分が下につかない両面対応の支持具である。片面だけ置ける支持具は両面対応の支持具の中央横棒１で半分にする。約１．５センチの正方形の支持具をバタービーターの片面の支点に溶接等で固定して付ける。泡立て器に付ける支持具は三角形が使い易く適切である。支点を有効利用できる調理器具はそれぞれに適した形の支持具を形成して調理器具の支点に付ける。【選択図】図２
0003174969.tif 000002
【実用新案登録請求の範囲】
【請求項１】
支点を有効利用できるバタービーター、泡立て器及びその他の調理器具を置く時に、調理部分が下につかないよう調理器具の支点に付ける、それぞれの調理器具に適した形の支持具。
【考案の詳細な説明】
【技術分野】
【０００１】  本考案は物品にある支点を利用したものである。全ての調理器具が支点を有効利用できる訳ではなく、支点の位置によっては調理の邪魔になり支持具を付けない方がよい調理器具もある。支点を有効利用できるバタービーター、泡立て器及びその他の調理器具を置く時に、調理部分が下につかないよう調理器具の支点に付ける支持具に関するものである。
【背景技術】
【０００２】  従来、調理中の調理器具は置き場所を確保したりそのまま置いたりしていたので、準備する手間や汚れを拭き取る気遣いなどが必要だった。
【考案の概要】
【考案が解決しようとする課題】
【０００３】  しかしながら調理器具の置き場所を確保したり、そのまま置いた汚れを拭き取ったりする手間や気遣いは仕方ないものと諦めの感があった。
【課題を解決するための手段】
【０００４】  本考案は支点を有効利用できるバタービーター、泡立て器及びその他の調理器具を置く時に、調理部分が下につかないよう調理器具の支点に付ける、それぞれの調理器具に適した形の支持具である。これにより上記課題を解決するものである。
【考案の効果】
【０００５】  上記の様に、本考案は調理器具の調理部分が下につかないようにするために、支点を有効利用できるバタービーター、泡立て器及びその他の調理器具の支点に、金属棒で形成した支持具を溶接等で固定して付けるだけである。金属棒で形成した小型の支持具により装着後は重量もほとんど変わりなく、また調理中の手元の視界にも全く影響がない。本考案の支持具を付けた調理器具は、置き場所を確保したり汚れを拭き取ったりする手間ひまや気遣いは必要なくなり、調理に専念できるというものである。
【図面の簡単な説明】
【０００６】
【図１】太さ径０．２ｃｍ以上の金属棒を使って、縦が約３ｃｍ、横が約１．５ｃｍで中央に横棒が入った長方形の支持具を拡大した正面図である。
【図２】バタービーターの取っ手の支点に図１の支持具を付けた側面図である。
【図３】泡立て器に一辺が約４ｃｍ〜５ｃｍの三角形の支持具を付けた側面図である。
【考案を実施するための形態】
【００７】  図１に示すように、直径０．２センチ以上の金属棒を折り曲げて、縦約３センチ、横約１．５センチの長方形の中央に約１．５センチの横棒１を設けた支持具である。調理器具の裏表どちら側にも置ける両面対応の支持具である。片面対応の支持具は両面対応の支持具の半分の約１．５センチの正方形である。
【０００８】  既製のバタービーターは素材の重量により、支点はバタービーターの本体下部か取っ手のどちらかである。バタービーターの本体下部の支点に支持具を付けることも可能ですが調理の邪魔になることもあるので、本考案は取っ手の支点に付ける支持具を提供します。バタービーターの本体下部に支点がある場合は取っ手に支点がくるよう重量移行するとよい。「バタービーターの支点」とは調理中に張り付いた食物の重量も考慮して、空のバタービーターの支点から約５ミリ先端よりが適当である。
図２に示すように、支持具とバタービーターを直角にして、支持具の中央横棒１をバタービーターの支点２に溶接等で固定して付ける。バタービーターの裏表の両面どちら側に置いても調理部分が下に付かない両面対応の支持具である。片面だけ置く場合は、両面対応の支持具を中央横棒１で半分にして約１．５センチの正方形の支持具を作り、バタービーターの片面の支点に溶接等で固定して付ける。
【０００９】  図３に示すように、泡立て器の支持具は一辺が約４センチ〜約５センチの三角形が使い易い。泡立て器の支点の位置が先端よりになるに連れて三角形の一辺が長くなる。三角形の頂点を取っ手接合部分３の上に乗せ、頂点を軸にして三角形の底辺４が泡立て器の支点５と一致するよう三角形を傾斜させる。一致した状態で取っ手接合部分３で三角形の頂点が動かぬよう完全に固定する。泡立て器を使用中は三角形の支持具がボールなどの器に触れないよう、泡立て器の上側に三角形の支持具がくるように付ける。また三角形の支持具はボールなどの器の淵に掛けておくこともできる。
【符号の説明】
【００１０】１  支持具の中央横棒
２  バタービーターの取っ手にある支点
３  泡立て器と取っ手の接合部分
４  支持具の三角形の底辺
５  泡立て器の支点
【図１】
0003174969.tif 000003
【図２】
0003174969.tif 000004
【図３】
0003174969.tif 000005
【手続補正書】
【提出日】平成24年1月25日(2012.1.25)
【手続補正１】
【補正対象書類名】実用新案登録請求の範囲
【補正対象項目名】全文
【補正方法】変更
【補正の内容】
【実用新案登録請求の範囲】
【請求項１】
長方形の長手方向の中央に横棒を設けた支持具の前記横棒と調理器具の支点とを固定した支持具付き調理器具。
【請求項２】
三角形の支持の頂点と調理器具の取っ手接合部分とを固定した支持具付き調理器具であって、三角形の底辺が調理器具の支点の下にくるように傾けた支持具付き調理器具。
(57)【要約】      （修正有）【課題】意匠性に優れたヘルメットを提供する。【解決手段】ヘルメット部１１を、軟化ポリエステル樹脂を浸透させた麦わら帽子部１２で覆い、一体化させる。上記軟化ポリエステル樹脂を浸透させた麦わら帽子部で外面を覆った半球形状のヘルメット（以下、「麦わらヘルメット」と省略する）は、麦わら帽子の外見をしている。このため、麦わらヘルメットは、質感の範囲でも意匠性が向上した。さらに、麦わらヘルメットは、麦わら帽子部のつばを有している。このため、麦わらヘルメットは、日よけとしての効果が大きい。さらにまた、麦わらヘルメットの麦わら帽子部には、軟化ポリエステル樹脂が浸透させてある。このため、麦わらヘルメットは、雨にぬれた時、通常の麦わら帽子のように型崩れすることがなく、意匠性に優れている。【選択図】図１
0003175000.tif 000002
【実用新案登録請求の範囲】
【請求項１】
軟化ポリエステル樹脂を浸透させた麦わら帽子部で外面を覆ったことを特徴とする半球形状のヘルメット。
【考案の詳細な説明】
【技術分野】
【０００１】  本考案は、頭部を衝撃から防護するために着用するヘルメットに関する。
【背景技術】
【０００２】  近年、意匠性に優れた装飾ヘルメットが提供されるようになってきた。【０００３】  意匠性に優れた装飾ヘルメットを、ヘルメットの部分毎にプリントを施すことにより製造する技術が、以下の文献に開示されている。
【先行技術文献】
【特許文献】
【０００４】
【特許文献１】特開２００５−１２６８６６。
【考案の概要】
【考案が解決しようとする課題】
【０００５】  しかし、この部分毎にプリントを施こされたヘルメットの意匠性の向上は、色彩の範囲に限られるものであった。【０００６】  そこで、本考案は、質感の範囲でも意匠性が向上する装飾ヘルメットを提供することを目的とするものである。
【課題を解決するための手段】
【０００７】  本考案は、軟化ポリエステル樹脂を浸透させた麦わら帽子部で、半球形状のヘルメットの外面を覆うものである。
【考案の効果】
【０００８】  上記軟化ポリエステル樹脂を浸透させた麦わら帽子部で外面を覆った半球形状のヘルメット（以下、「麦わらヘルメット」と省略する）は、麦わら帽子の外見をしている。このため、麦わらヘルメットは、先行技術のヘルメットに比べ、質感の範囲でも意匠性が向上した。【０００９】  さらに、麦わらヘルメットは、麦わら帽子部のつばを有している。このため、麦わらヘルメットは、先行技術のヘルメットに比べ、日よけとしての効果が大きい。【００１０】  さらにまた、麦わらヘルメットの麦わら帽子部には、軟化ポリエステル樹脂が浸透させてある。このため、麦わらヘルメットは、雨にぬれた時、通常の麦わら帽子のように型崩れすることがなく、意匠性に優れている。
【図面の簡単な説明】
【００１１】
【図１】麦わらヘルメットの俯瞰図である。麦わらヘルメットの内部にあるヘルメット部を、破線で示している。
【考案を実施するための形態】
【００１２】  麦わらヘルメットを、自動二輪車乗車時に、頭部に着用する。
【実施例】
【００１３】  図１に示す状態で、頭部に麦わらヘルメット１０を着用した。外見は、麦わら帽子をかぶっているように見えた。ヘルメットの意匠性が、質感の範囲でも向上した。【００１４】  頭部に麦わらヘルメット１０を着用した状態で、よく晴れた夏の昼間、自動二輪車を運転した。麦わらヘルメット１０の麦わら帽子部１２のつば部分により、直射日光を避けることができ、日焼けが防げた。【００１５】  頭部に麦わらヘルメット１０を着用した状態で、降雨時に、自動二輪車を運転した。麦わらヘルメット１０の麦わら帽子部１２には、軟化ポリエステル樹脂が浸透させてある。このため、麦わらヘルメット１０の麦わら帽子部１２は、雨に濡れても、型崩れしなかった。【００１６】  図１に示すヘルメット部１１は、市販品を購入した。【００１７】  図１に示す麦わら帽子部１２は、ヘルメット部１１の外形寸法を測定し、その寸法に合わせて製造した。製造した麦わら帽子部１２に軟化ポリエステル樹脂を浸透させた。ポリエステル樹脂を浸透させた麦わら帽子部１２で、半球形状をしたヘルメット部１１を覆い、加熱して、ヘルメット部１１と麦わら帽子部１２とを一体化させた。
【符号の説明】
【００１８】１０  麦わらヘルメット
１１  ヘルメット部
１２  麦わら帽子部
【図１】
0003175000.tif 000003
(57)【要約】      （修正有）【課題】簡単に、安価に製造できる車止めコンクリート型枠を提供する。【解決手段】長方形の箱型であり、開口部を有し、素材は、弱硬質シリコン系である。【選択図】図１
0003174997.tif 000002
【実用新案登録請求の範囲】
【請求項１】
長方形の箱型上のもので、１ヶ所コンクリートを流し込む際の開口部、又製品を取り出すための開口部を同一箇所有する、車止めコンクリート型枠。
【請求項２】
素材を、弱硬質シリコン系で、元の形状に記憶復元可能なものとし、めくり剥ぎ取るように脱型することが出来、繰り返し製造可能とすることが出来る、請求項１記載の、車止めコンクリート型枠。
【請求項３】
車止めなどのボルト固定部分を定位置に備え付ける場合に、テーパー筒型状スリーブ型枠とし、流し込み開口部側の筒型状スリーブ径を本体型枠接続部分より細くすることで脱型枠を安易にできることを目的とし、弱硬質シリコン型枠本体と、一体となっている、請求項１〜２記載の、車止めコンクリート型枠。
【請求項４】
コンクリート流し込み側口の、全周囲先端部分が、変形防止用補強リブのついた、請求項１〜３記載の、車止めコンクリート型枠。
【請求項５】
弱硬質シリコン型枠は、運搬時重ねることが出来る、請求項１〜４記載の、車止めコンクリート型枠。
【考案の詳細な説明】
【技術分野】
【０００１】  本考案は、車止めなど、コンクリート製品を作る際、鉄製又は、木製が、が主である。
【背景技術】
【０００２】  簡易的にコンクリート製品を作る為に考案しました。【０００３】
【先行技術文献】
【特許文献】
【０００４】
【特許文献１】特開  ２０１１−１１６３１３
【考案の概要】
【考案が解決しようとする課題】
【０００５】  解決しようとする問題点は、簡単に又、安価に、製品を作ることである。
【課題を解決するための手段】
【０００６】  弱硬質シリコン系、弱硬質ゴム系、軟質ビニール系などの、軟らかすぎないで硬さも備えており、かつ、脱型枠時にめくることの出来る程の軟らかさを備えていて形状記憶性能も備えた、素材とし、簡易的に製造し、携帯性、運搬性をよくする。
【考案の効果】  弱硬質シリコン型枠とし、携帯性をよくして、反復製造でき、残り物のコンクリートにて誰でも製作することができるため材料費は安価に済む。
【図面の簡単な説明】
【０００７】
【図１】コンクリート用弱硬質シリコン型枠の姿図の説明図である。
【図２】弱硬質シリコン型枠の断面図である。
【考案を実施するための形態】
【０００８】  車止め形状の場合、弱硬質シリコン型枠の底（地面側）の開口部を、上部側としコンクリートを流し込み、内、外部より気泡、及びムラをなくすため、振動を加えて形成を整え、状態に応じて、硬化を待つ。
【符号の説明】
【０００９】  ａ，車止め弱硬質シリコン型枠
ｂ，ボルト固定用テーパー筒型状スリーブ型枠部分
ｃ，全周囲先端部分、変形防止用補強リブ
【図１】
0003174997.tif 000003
【図２】
0003174997.tif 000004
(57)【要約】【課題】手指は水で濡れず、装飾した長い爪を保護し、手指の隙間から米粒をこぼさないことを目的とした爪先保護部材付き防水米とぎ手袋を得る。【解決手段】防水手袋１の各指部の先端内部に爪先保護部材２を装填し、この防水手袋１の各指相互間を微細穴あき状部材３でヒレ状に継いだことにより、爪先保護と水きり時の米粒の流出が防止できる爪先保護部材付き防水米とぎ手袋。【選択図】図１
0003174992.tif 000002
【実用新案登録請求の範囲】
【請求項１】
防水手袋の各指部の先端内部に爪先保護部材を装填し、この防水手袋の各指相互間を微細穴あき状部材でヒレ状に継いだことを特徴とする爪先保護部材付き防水米とぎ手袋。
【請求項２】
微細穴あき状部材で各指相互間をヒレ状に継いだ手首までの手袋を形成し、この手袋に、爪先保護部材を装填した防水手袋を挿入したことを特徴とする爪先部保護部材付き防水米とぎ手袋。
【考案の詳細な説明】
【技術分野】
【０００１】  本考案は、米とぎや洗い物をする際に使用する爪先保護部材を装填した防水手袋に関するものである。
【背景技術】
【０００２】  従来、米をとぐ手段として、素手又は防水手袋を着用するとか、あるいは、ザルやボウルなどの別容器の中で、攪拌具や水切り具などを使って行っていた。
また、他に米をとぐ手段として、手袋の指の間に細かい隙間のある水掻きを設けた米をとぐ手袋がある。（例えば、特許文献１参照）。
【先行技術文献】
【特許文献】
【０００３】
【特許文献１】特開平０８−１５８１２３号  公報
【考案の概要】
【考案が解決しようとする課題】
【０００４】  上述の手段で米とぎをする際、手指は水濡れして冷たく、特に、長い爪にネールアートなどを施した装飾爪の保護が十分に出来ない。さらに、水切りをする際には、米粒が指の隙間からこぼれてしまい、不経済であるという問題点があった。
また、ザルやボウルなどの別容器の中での洗米後は、炊飯器に移し変えなければならないと言う不便さもあった。
また、上述の先行技術の特許文献１は、手袋の指の間に細かい隙間のある水掻きは付いているが、爪部の保護を目的としたものではない。
従って、本考案は、手指は水で濡れず、装飾した長い爪先を保護し、手指の隙間から米粒をこぼさないことを目的とした、爪先保護部材付き防水米とぎ手袋を形成することにより、前述の問題点や不便さを解決しようとするものである。
【課題を解決するための手段】
【０００５】  防水手袋１の各指部の先端内部に爪先保護部材２を装填し、この防水手袋１の各指相互間を微細穴あき状部材３でヒレ状に継いで、防水性と爪先の保護と米粒をこぼさないなどの複数の要素を兼ね備えたことを特徴とする爪先保護部材付き防水米とぎ手袋を形成することにより前述の問題点や不便さを解決している。
【考案の効果】
【０００６】  本考案品を手に装着して使用することにより、下記の様な効果が得られる。
１．装飾を施した長い爪の損傷を防ぎ、爪先の保護が出来る。
２．手指の水濡れを防止し、水による手荒を防ぐことが出来る。
３．炊飯器の中で直に米とぎと水切りが出来、移し変えの手間が省ける。
４．水切りをする際、手指の隙間から米粒がこぼれず経済的である。
５．手指を自在に閉じたり開いたり出来、米の揉み洗いが可能である。
６．左右両面の使い分けが出来、左利きの人にも対応可能である。
【図面の簡単な説明】
【０００７】
【図１】本考案の実施例１を示す爪先保護部材付き防水米とぎ手袋の正面図である。
【図２】本考案の実施例２を示す爪先保護部材付き防水米とぎ手袋の正面図である。
【考案を実施するための形態】
【実施例１】
【０００８】  図１は、本考案の実施例１を示す爪先保護部材付き防水米とぎ手袋の正面図である。
図において、防水手袋１の各指部の先端内部に爪先保護部材２（例えば、ふっくらソフトなクッション性軟質素材のスポンジや綿など）を装填し、この防水手袋１の各指相互間を、微細穴あき状部材３（例えば、水は通すが米粒は通さない柔軟性のある樹脂系繊維素材など）でヒレ状に継いで爪先保護部材付き防水米とぎ手袋が形成されている。
本考案の爪先保護部材付き防水米とぎ手袋を手に装着し、炊飯器の中に直に米と水を入れて米を揉み洗いし、そのまま手指を全開状態にして炊飯器の縁に当てて水切りをする。米粒をこぼさず、移し替える手間もいらず、即炊飯をすることが可能である。
この防水手袋１の各指部の先端内部に装填した爪先保護部材２のクッション材の作用により、炊飯器の硬い底に指先が当たっても、内部の爪先を優しく柔軟に受け止めるので、より一層の爪先の保護効果が得られている。
【実施例２】
【０００９】  図２は、本考案の実施例２を示す爪先保護部材付き防水米とぎ手袋の正面図である。
図において、微細穴あき状部材３で、各指相互間をヒレ状に継いだ手首までの手袋を形成し、この手袋に、前記実施例１に示す防水手袋１または既存の防水手袋（各指部の先端内部に爪先保護部材２を装填する。）を挿入することにより、爪先保護部材付き防水米とぎ手袋が形成されている。
なお、上記既存の防水手袋とは、各種市販されていて今家にある防水手袋のことであり、左右を使い分けて微細穴あき状部材３で形成した手袋に挿入することにより、左利きの人にも対応可能である。【００１０】
【産業上の利用可能性】
【００１１】  お米を食する分野、例えば各家庭は勿論、特に爪を伸ばしてネールアートなどの爪の装飾を楽しむ女性や、一人暮らしの学生や単身赴任者が、手軽に米とぎをしてご飯を炊くことが出来、お米の普及および食生活の改善に大いに役立ち、利用可能性は大である。
【符号の説明】
【００１２】  １．防水手袋
２．爪先保護部材
３．微細穴あき状部材
【図１】
0003174992.tif 000003
【図２】
0003174992.tif 000004
(57)【要約】      （修正有）【課題】家具の転倒防止と、家具前面の空間の有効利用とが同時にできる耐震棒を提供する。【解決手段】回転胴１４１と仕切り部１４２と腕部１４３を有する物干し部１４の仕切り部１４２の下面を、下部ポール１３の上面で回転可能に支える。上記特徴を備えた物干し機能付き耐振棒を家具上に固定すれば、物干し部に洗濯物を干すことができるので、家具の前面の空間を有効に利用することができる。また、上記耐振棒を窓枠に固定すれば、物干し部に布団を干すことができ、窓周囲の空間を有効に利用することができる。【選択図】図１
0003174999.tif 000002
【実用新案登録請求の範囲】
【請求項１】
高さ方向に分割され、重力方向の同じ軸に配置された、下部ポールと上部ポールとの組を備えた耐震棒において、
円筒型の回転胴と、前記回転胴の内側に設けられた仕切り部と、前記回転胴の外面から伸びた腕部とからなる物干し部の前記仕切り部の下面を、前記下部ポールの上面で回転可能に支えることを特徴とする耐震棒。
【考案の詳細な説明】
【技術分野】
【０００１】  本考案は、干し機能を付加した耐震棒に関するものである。本明細書では、家具と天井との間に設置し、地震時に家具の転倒を防ぐ棒のことを、耐震棒と定義する。
【背景技術】
【０００２】  近年、地震時の家具の転倒を防止するために、耐震棒が用いられるようになった。
このような耐震棒の機能は、地震時の家具の転倒防止のみである。耐震棒の一例が、次のホームページに見られる。
【先行技術文献】
【非特許文献】
【０００３】
【非特許文献１】ささえくん（株式会社エイブル企画のホームページの一部）（ｈｔｔｐ：／／ｗｗｗ．ａｂｌｅ−ｐｌａｎ．ｃｏｍ／ｉｔｅｍ／ｓａｓａｅｋｕｎ．ｈｔｍｌ）。
【考案の概要】
【考案が解決しようとする課題】
【０００４】  しかし、この耐震棒は、家具の前面（家具を壁に近づけて設置した場合の反壁側の面を、本明細書では前面と定義する）の空間を有効に利用できず、問題である。【０００５】  そこで、本考案は、家具の前面の空間を有効に利用する物干し機能付耐震棒を提供することを目的とするものである。
【課題を解決するための手段】
【０００６】  本考案は、高さ方向に分割され、重力方向の同じ軸に配置された、下部ポールと上部ポールとの組を備えた耐震棒において、円筒型の回転胴と、回転胴の内側に設けられた仕切り部と、回転胴の外面から伸びた腕部とからなる物干し部の仕切り部の下面を、下部ポールの上面で回転可能に支えるものである。
【考案の効果】
【０００７】  上記特徴を備えた物干し機能付き耐振棒を家具上に固定すれば、物干し部に洗濯物を干すことができるので、家具の前面の空間を有効に利用することができる。
また、上記特徴を備えた物干し機能付き耐振棒を窓枠に固定すれば、物干し部に布団を干すことができ、窓周囲の空間を有効に利用することができる。
【図面の簡単な説明】
【０００８】
【図１】物干し機能付き耐振棒を水平方向から見た図である。物干し機能付き耐振棒の図中での配置は、上下方向は実使用状態通り、耐震棒の軸を重力方向としている。左右方向は、本考案の特徴である、物干し部が紙面と平行となる方向である。内部の構造を説明するため、一部を切断した図としている。
【考案を実施するための形態】
【０００９】  物干し機能付き耐振棒を、耐震棒の軸が重力方向になるように、家具と天井との間にセットする。物干し部が家具の前面の空間に突き出すように回転させる。物干し部に、ハンガーに吊るした洗濯物を掛ける。
【実施例】
【００１０】  図１に示す状態で、上部支え１６が天井と接し、下部支え１１がタンス上面と接し、耐震棒の軸が重力方向になるように、物干し機能付き耐振棒１０を設置した。
物干し部１４を回転させ、タンスの前面から突き出すようにした。
ハンガーに掛けた、洗濯物（シャツ２枚とタオル２枚）を物干し部１４に吊るした。【００１１】  大型の物干し機能付き耐振棒１０を、図１に示す状態で、上部支え１６が窓枠上部と接し、下部支え１１が窓枠下部と接するように、設置した。
物干し部１４を回転させ、窓枠と平行になるようにした。
布団を、物干し部１４に掛け、布団を干した。【００１２】  図１に示す下部支え１１、下部ポール１３、物干し部１４、上部ポール１５、上部支え１６は、軟鋼を加工し、表面に樹脂ライニングを施した。バネ１２と頭付きピン１７とは購入した。
下部ささえ１１は、鋼板をプレス加工して制作した。
下部ポール胴１３１は鋼管を切断し、下部ポール仕切り１３２は中実丸棒を切断して制作し、溶接にて一体化し、下部ポール１３とした。【００１３】  物干し部１４は、回転胴１４１、仕切り部１４２、腕部１４３、蓋部１４４とで構成した。回転胴１４１と、仕切り部１４２と、腕部１４３と、は鋼管を切断して制作した。蓋部１４４は、中実丸棒を切断して制作した。回転胴１４１の内側に仕切り部１４２をセットし、溶接にて一体化した。次に、回転胴１４１の外面に腕部１４３を溶接にて一体化した。さらに腕部１４３の先端に蓋部１４４を溶接にて一体化し、物干し部１４とした。
本実施例では、物干し部１４の一体化を溶接にて行ったが、接着その他の方法で行ってもよい。また、物干し部１４の材料として軟鋼を用いたが、樹脂等その他の材料を用いてもよい。【００１４】  上部ポール外胴１５１と、上部ポール内胴１５２と、は鋼管を切断して制作し、溶接にて一体化し、上部ポール１５とした。
上部支え胴１６１は、鋼管を切断して制作した。上部受け１６２は、鋼板をプレス加工して制作した。上部支え胴１６１と、上部受け１６２と、を溶接にて一体化し、上部支え１６とした。【００１５】  物干し機能付き耐振棒１０を、上記の部品を使用して組み立てた。重力方向下から上に、下部支え１１、バネ１２、下部ポール１３を重ねた。回転胴１４１を、水平方向で下部ポール胴１３１を囲む位置にセットし、落し込んだ。下部ポール胴１３１の上面が、仕切り部１４２の下面を支える状態となった。上部ポール内胴１５２を下部ポール胴１３１に差し込んだ。上部ポール１５に上部支え１６を積み重ねた。上部ポール１５、上部支え１６各々の穴に頭付きピン１７を挿入し、物干し機能付き耐振棒１０の高さを調整した。組み立て後、物干し部１４が下部ポール１３の周りを回転できることを確認した。
【符号の説明】
【００１６】１０      物干し機能付き耐振棒
１１      下部支え
１２      バネ
１３      下部ポール
１３１    下部ポール胴
１３２    下部ポール仕切り
１４      物干し部
１４１    回転胴
１４２    仕切り部
１４３    腕部
１４４    蓋部
１５      上部ポール
１５１    上部ポール外胴
１５２    上部ポール内胴
１６      上部支え
１６１    上部支え胴
１６２    上部支え受け
１７      頭付きピン
【図１】
0003174999.tif 000003
(57)【要約】      （修正有）【課題】栽培瓶を用いたきのこ栽培の生産性を向上させるため、栽培瓶から培地を極めて容易に取り出すことができる栽培瓶を提供する。【解決手段】栽培瓶は、瓶口２の口径Ａ’と瓶底３の外径Ｂ’が等しいか、瓶口２の口径Ａ’を瓶底３の外径Ｂ’よりも大きくなるように成形されている。従って瓶胴部１は瓶底から瓶口にかけて垂直か、もしくは瓶底から瓶口にかけて広くなっていくように勾配が付くように成形される。瓶底から瓶口まで障害が無く円筒状か、もしくは逆円錐状になっているためいた、栽培瓶から容易に一塊の培地を取り出すことができる。【選択図】図２
0003174993.tif 000002
【実用新案登録請求の範囲】
【請求項１】
きのこを菌床で栽培する際の、培地を充填する栽培容器として用いる瓶において、瓶口から瓶底にかけて垂直もしくは勾配がついた形状に成形して、きのこを収穫した後の、培地の掻き出し作業の手間を大幅に軽減することができる栽培瓶。
【考案の詳細な説明】
【技術分野】
【０００１】本案は、きのこの菌床栽培で用いられる栽培瓶に関する。
【背景技術】
【０００２】従来より、栽培容器として樹脂製の瓶を用い、これに培地を充填してきのこを栽培する菌床栽培が盛んに行われている。
この栽培瓶は、一般に瓶底から瓶口までの高さが１６０ｍｍ〜１８０ｍｍ程度、瓶胴部の外径が８０ｍｍ〜１００ｍｍ程度で、瓶口の口径は瓶胴部の外径よりも小さく６０ｍｍ〜９５ｍｍ程度で、段付きで有底の円筒状をしている。【０００３】上記の栽培瓶に、おが屑等の培地素材に米ぬか等の栄養素を添加して充填し、殺菌処理を施したうえで種菌を接種する。その後、培養、熟成、発生、成育、収穫の工程できのこが栽培され、収穫後は栽培瓶を再利用するため、機械や人手で栽培瓶内に残った培地を掻き出す必要がある。
【考案の開示】
【考案が解決しようとする課題】
【０００４】しかしながら、上記の培地の掻き出しの際は、軸に羽根が付いた金属製の機械や工具を回転させかがら瓶内に挿入するため、栽培瓶を破損することがあるうえ、手間や時間が掛かるので、きのこ栽培の省力化を図るうえで障害となっている。【０００５】本考案は、培地の掻き出し工程の手間と時間を大幅に短縮して、きのこ菌床栽培の生産性を高めることができる栽培瓶を提供するものである。
【課題を解決するための手段】
【０００６】前述の目的を達成するために、本考案のきのこ栽培瓶は、瓶胴部を瓶底から瓶口へかけて垂直もしくは瓶底よりも瓶口の径が大きくなるように勾配を付けて成形する。
【考案の効果】
【０００７】本考案の栽培瓶では、瓶底から瓶口へ向けて広がるように勾配が付けられているので、従来の栽培瓶では機械や道具が必要だった収穫後の培地の掻き出し作業において、機械や道具を使わずに極めて容易に栽培瓶から培地を取除くことができる。【０００８】前述のことから、本考案の栽培瓶を用いると、培地の掻き出しの際に栽培瓶を破損することが無くなり、栽培瓶を用いたきのこ栽培における生産コストの削減を図ることができる。【０００９】本考案の栽培瓶により、栽培瓶から培地を掻き出す作業が大幅に省力化できるので、栽培瓶を用いたきのこ栽培における生産コストを抑えることができる。
【考案を実施するための形態】
【００１０】図１は、従来より菌床栽培で一般に用いられている栽培瓶の側面図で、瓶口２の口径Ａが瓶底３の外径Ｂよりも小さく、かつ段付きで成形されている。
【００１１】図２は、本考案の栽培瓶の側面図で、瓶口２の口径Ａ’と瓶底３の外径Ｂ’が等しいか、瓶口２の口径Ａ’を瓶底３の外径Ｂ’よりも大きくなるように成形されている。
従って瓶胴部１は瓶底から瓶口にかけて垂直か、もしくは瓶底から瓶口にかけて広くなっていくように勾配が付くように成形される。
【００１２】栽培瓶に培地を充填してきのこを栽培する菌床栽培では、収穫後の培地は菌糸が培地に蔓延していて一塊になっている。そのため、図１のように瓶胴部の上部が段付きになっている従来の栽培瓶では、機械や道具を使って培地を崩しながら取り出さなくてはならなかった。
本考案の栽培瓶では、瓶底から瓶口まで障害が無く円筒状か、もしくは逆円錐状になっているためいた、栽培瓶から容易に一塊の培地を取り出すことができる。
【図面の簡単な説明】
【００１３】
【図１】従来の栽培瓶側面図
【図２】本考案の栽培瓶側面図
【符号の説明】
【００１４】１    瓶胴
２    瓶口
３    瓶底
Ａ    従来の栽培瓶の瓶口の口径
Ａ’  本考案の栽培瓶の瓶口の口径
Ｂ    従来の栽培瓶の瓶底の外径
Ｂ’  本考案の栽培瓶の瓶底の外径
【図１】
0003174993.tif 000003
【図２】
0003174993.tif 000004
(57)【要約】      （修正有）【課題】簡単に脱着できるワンタッチ前掛式保護用ズボンを提供する。【解決手段】塩化ビニール又はポリウレタン又はネオプレインスポンジ又は生ゴム又はニトリルゴムで包みこまれた形状記憶合金を内蔵する腰にはめる輪と、フクラハギの所に位置するゴムで伸縮性の有る足通し輪と、股部を割るように形成された前掛け本体と、を有する。【選択図】図１
0003174973.tif 000002
【実用新案登録請求の範囲】
【請求項１】
人体のヘソの当たり腰に密着して使えるように，形状記憶合金を曲げてそれを，塩化ビニール又はポリウレタン又はネオプレインスポンジ又は生ゴム又はニトリルゴムで包みこんで，腰の部分に使う，腰前掛けとは違う点は，股を割りフクラハギの所にゴムで伸縮性の有る輪を作り，足を入れて，中にはいている合羽ズボンと胴付長靴を保護する．
瞬時に脱着可能で便利です．
【考案の詳細な説明】
【考案の詳細な説明】
【背景技術】
【０００１】従来  ワンタッチで脱着可能な腰前掛はあった．
でも，股を開いて，屈んだり，座ったりする時，股の部分が一枚の布なので，仕事がしにくい，股の所に切れ目を入れてズボン式にして，フクラハギの所にゴムの輪をつくり，腰に入っている形状記憶合金とフクラハギのゴムの輪の足止めによって，自由に動ける簡単脱着のワンタッチ前掛式保護用ズボンとなります．【０００２】日本国の人件費の高騰によって，作業用合羽ズボン，胴付長靴の価格が上がってしまった．  第一次，二次産業にたずさわる人にとって，牡蛎，ホタテその他の貝類，ウニ，害の貝フジツボなどによって，着ている合羽ズボン，胴付長靴の損傷によって苦しんでいる．
これを防ぐために，簡単にその場に対応可能な簡単ワンタッチ前掛式保護用ズボンが多いに第一次，二次産業従事者の手助けになる．
【課題を解決するための手段】
【０００３】目的を達成するために，腰に当たる部分に形状記憶合金を塩化ビニール，ポリウレタン，ネオプレインゴム，生ゴム，ニトリルゴムなど水に強い品物で包む，前面のみズボン状に真ん中が開いていて，足首まで伸びている，足のフクラハギの位置に，ゴムで足の入るような輪を作りその中に，足を通して軽快に作業する．又，足の下から５０ｍｍと１００ｍｍの所へ鋏できって使えるようウエルダーで熱処理して身長の違う人に対応する．
【考案の効果】
【０００４】塩化ビニール，ポリウレタン，ネオプレインスポンジ，生ゴム，ニトリルゴム，の前掛けの様なズボン式つまり，ワンタッチ前掛式保護ズボンは，これの中にはいている高価なカッパズボン，胴付長靴を鋭利な貝類，ウニ，やっかいなフジツボなどから，守ると同時に脱着が簡単なので，必要な時のみ素早く身につけられる，価格が安価なので，第一次，二次産業に，携わる人に多いに経済的支えになる．
【図面の簡単な説明】
【図１】形状記憶合金を使った簡単脱着，合羽，胴付長靴  保護用ズボンの斜視図である
【図２】実際，胸付き合羽ズボンをどのように使用した時の保護用ズボンの背面の図
【符号の説明】１．腰にはめる形状記憶合金内蔵の保護用ズボンの輪これで，安定してズボンのずり落ちを止める
２．安全ハトメ，腰から保護用ズボンが落ちないように腰をゴム紐でしばれるように付けているより安全にの保険の紐通し
３，身長，股下の異なる人用の三段階の裾調節のウエルダー跡の線
４，体を動かした時につっぱらないように，幅５０ｍｍ位のゴムの足とうし輪
【図１】
0003174973.tif 000003
【図２】
0003174973.tif 000004
【手続補正書】
【提出日】平成24年1月26日(2012.1.26)
【手続補正１】
【補正対象書類名】実用新案登録請求の範囲
【補正対象項目名】全文
【補正方法】変更
【補正の内容】
【実用新案登録請求の範囲】
【請求項１】
塩化ビニール又はポリウレタン又はネオプレインスポンジ又は生ゴム又はニトリルゴムで包みこまれた形状記憶合金を内蔵する腰にはめる輪と，フクラハギの所に位置するゴムで伸縮性の有る足通し輪と，股部を割るように形成された前掛け本体と，を有することを特徴とするワンタッチ前掛式保護用ズボン．
(57)【要約】      （修正有）【課題】一文字の大きさや文字と文字との間隔を確認することが可能な英習罫を提供する。【解決手段】アセンダライン、ミーンライン、ベースライン及びディセンダラインの４本の水平線に対し、所定の間隔ごとに各水平線に交差する縦ガイド線を引き、それぞれ隣接する２本の縦ガイド線及び水平線によって囲まれた一マスを半角のアルファベットの小文字一文字の大きさの目安とする。【選択図】図１
0003174976.tif 000002
【実用新案登録請求の範囲】
【請求項１】
半角スペースごとに縦ガイド線を引き、そのガイド線に挟まれた一マスを半角のアルファベットの小文字一文字の大きさの目安とすることを特徴とする英習罫。
【考案の詳細な説明】
【技術分野】
【０００１】  本考案は、アルファベットや欧文の筆記練習に使う英習罫に半角スペースごとに縦ガイド線を引いたものである。
【背景技術】
【０００２】  アルファベットの筆記練習に欠かせない英習罫は、アセンダライン（２）、ミーンライン（３）、ベースライン（４）、ディセンダライン（５）という４本の水平線で構成されている。これら４本の水平線により、筆記時にアルファベットの大文字の高さ、小文字の高さ、小文字のｂ、ｄ、ｆ、ｈ、ｋ、ｌの上端、小文字のｇ、ｊ、ｐ、ｑ、ｙの下端が揃えやすく便利であるが、文字の横幅や文字と文字との間隔は、筆記者の感覚に委ねられている。
【考案の概要】
【考案が解決しようとする課題】
【０００３】  欧文を書くとき、一文字の大きさを示すガイドがあると書きやすい。文字と文字の間のスペースは、普段、欧文を書き慣れない日本人にとっては感覚が掴みづらく、一つの単語をきれいに書くことすら難しい。加えて最近ではコンピューターも普及しているため、筆記体を見る機会が少なくなっており、ブロック体の等幅な並びによる文のほうが普段見慣れた欧文として定着してきている。従って、美しい欧文を書くには、ブロック体の文字を均等な大きさで適切な間隔をあけて書く練習が必要になる。
本考案の英習罫は、半角スペースごとに縦ガイド線を設けることにより、一文字の大きさや文字と文字との間隔を確認することが可能となり、前述の欠点を解決しようとするものである。
【課題を解決するための手段】
【０００４】  本考案は、アルファベットや欧文の筆記練習に使う英習罫に半角スペースごとに縦ガイド線を引き、そのガイド線に挟まれた一マスを半角のアルファベットの小文字一文字の大きさの目安とすることにより、一文字一文字の大きさや文字と文字との間隔を確認することが可能となり問題点を解決している。アルファベットの小文字のｍ、ｗや、アルファベットの大文字で横の幅が広い文字を書く場合には全角として二マス分のスペースを使うなどして調整する。
【考案の効果】
【０００５】  上述の様に本考案の英習罫は、アルファベット一文字の大きさや文字と文字との間隔を確認しながら書くことができるため、きれいな欧文を書くことが可能である。昨今、私たちは日常的にコンピューターの画面や印字出力された用紙を見慣れているため、筆記の場合もきちんと整列されたブロック体が美しく見える。英習罫はもともとアルファベットや欧文の筆記練習に使うものなので、縦ガイド線は一文字一文字を正確に書くための目安として役立つ。また、筆記後のスペルミスが無いか確認する作業や単語の文字数、欧文の文章量を確認する作業がしやすくなる。
【図面の簡単な説明】
【０００６】
【図１】  本考案の英習罫のうち、１ページ８段の本文の罫内容を示す図である
【考案を実施するための形態】
【０００７】  アルファベットや欧文の筆記練習に使う英習罫に半角スペースごとに縦ガイド線を引いた仕様とする。ガイド線は視覚的にも案内線に見えるように点線とする。ガイド線に挟まれた一マスを半角のアルファベットの小文字一文字の大きさの目安とする。これにより、一文字一文字を整列させて欧文をきれいに書くことを可能にしている。アルファベットの小文字のｍ、ｗや、アルファベットの大文字で横の幅が広い文字を書く場合には全角として二マス分のスペースを使うなどして調整する。ノートやノートパッドといった製品での展開で、１ページの罫の段数は適用学年に応じて８段、１０段、１３段、１５段などが考えられる。
【実施例】
【０００８】  以下、添付図面に従って実施例を説明する。１は本考案の英習罫のうち、１ページ８段の本文の罫内容を示す。２はアセンダラインと呼ばれ、英習罫において小文字のｆ、ｈ、ｌなどの上端の高さに引かれた水平線を示す。３はミーンラインと呼ばれ、英習罫において小文字のａ、ｃ、ｘなどの高さに引かれた水平線を示す。４はベースラインと呼ばれ、英習罫において文字を組むうえで視線を誘導する基盤となる水平線を示す。５はディセンダラインと呼ばれ、英習罫において小文字のｇ、ｐ、ｙなどの下端の高さに引かれた水平線を示す。６は英習罫に半角スペースごとに縦ガイド線を引いたうちの一本を示す。ガイド線は視覚的にも案内線に見えるように点線としている。７は二本のガイド線に挟まれた一マスを示す。半角のアルファベットの小文字一文字の大きさの目安とする。８は実際に筆記した場合のサンプルとして示す。
【符号の説明】
【０００９】１  英習罫１ページ全体
２  アセンダライン
３  ミーンライン
４  ベースライン
５  ディセンダライン
６  縦ガイド線
７  一マスの半角スペース
８  筆記サンプル
【図１】
0003174976.tif 000003
【手続補正書】
【提出日】平成24年1月27日(2012.1.27)
【手続補正１】
【補正対象書類名】実用新案登録請求の範囲
【補正対象項目名】全文
【補正方法】変更
【補正の内容】
【実用新案登録請求の範囲】
【請求項１】
アセンダライン、ミーンライン、ベースライン及びディセンダラインの４本の水平線に対し、所定の間隔ごとに各水平線に交差する縦ガイド線を引き、それぞれ隣接する２本の縦ガイド線及び水平線によって囲まれた一マスを半角のアルファベットの小文字一文字の大きさの目安とすることを特徴とする英習罫。
(57)【要約】      （修正有）【課題】軽量で長時間使用可能な替刃式のタイルニッパーを提供する。【解決手段】本体はアルミ製品からなり、４側面刃形状の超硬合金刃が交換可能に取り付けられている。【選択図】図１
0003174975.tif 000002
【実用新案登録請求の範囲】
【請求項１】
超硬合金刃が交換式４側面刃になっている為今までより４倍長持ちします。  （図５）
【請求項２】
４側面刃の２面はＲ形状になっていて用途に応じて使い分けが出来る。  （図５）
【請求項３】
ニッパー先端に回転刃を装着、タイルのＲ加工時の切線を入れることにより割る時に綺麗に割れる。  （図１  ▲２▼）
【請求項４】
本体素材をダイカスト鋳造でアルミボディーにし軽量。  （図１  ▲４▼）
【請求項５】
本体にダイヤルロック機能を取り付ける。  （図１  ▲３▼）
【請求項６】
ダイヤル機能の０は、ニッパーを使用しない時のロック。  （図２）
【請求項７】
ダイヤル機能の１は、薄物タイル（１ｍｍから６ｍｍ）切断用です。
刃幅が７ｍｍしか開きません。  （図３）
【請求項８】
ダイヤル機能の２は、暑物タイル（６ｍｍから１２ｍｍ）切断用です。  （図４）
【考案の詳細な説明】
【技術分野】
【０００１】本考案はタイルを超硬刃ニッパーで加工する道具です。素材をアルミニウム合金で軽量化。４側面刃で今までより４倍長持ち。
【背景技術】
【０００２】従来の素材は鋳物（鉄）に超硬刃を溶接していました。
【考案の概要】
【考案が解決しようとする課題】
【０００５】素材が鋳物で長時間使用していると疲れる。【０００６】従来品は超硬刃が素材に溶接されている為、刃先が欠けると使えなくなる。【０００７】タイルをＲ加工する時に良くタイルが欠ける。【０００８】ニッパーの刃幅が開きすぎる為、手が小さい人は使いにくい。
【課題を解決するための手段】
【０００９】素材を鋳物からアルミニウム合金にすることにより軽量になり長時間使用出来る。
（図１  ▲４▼）【００１０】替刃式にすることにより、本体を長く使えます。  （図１  ▲１▼）【００１１】４枚側面刃で４倍長持ち。  （図１  ▲１▼）
【考案の効果】
【００１２】素材をアルミニウム合金にした為、軽量で長時間使用可能になった。  （図１  ▲４▼）【００１３】４側面刃の２側面はＲ刃、残り２側面はストレート刃で使い勝手用途が増えました。
（図５）【００１４】タイルのＲ加工時に先に回転刃で切線をタイル表面に入れることにより、タイルの欠けが防げます。
（図１  ▲２▼）【００１５】回転刃を左右に付けているので右利き・左利きの人も使えます。  （図１  ▲２▼）【００１６】ダイヤル機能によりニッパーのロックが出来ます。  （０）（図２）【００１７】ダイヤルを１にすると刃幅が７ｍｍしか開きません。薄物タイルに適しています。
（図３）【００１８】ダイヤルを２にすると刃幅が１２ｍｍ開きます。厚いタイルに適しています。
（図４）
【図面の簡単な説明】
【００１９】
【図１】超硬合金４側面替刃式タイルニッパーの平面図である。
【図２】超硬合金４側面替刃式タイルニッパーのダイヤルが０時の平面図である。
【図３】超硬合金４側面替刃式タイルニッパーのダイヤルが１時の平面図である。
【図４】超硬合金４側面替刃式タイルニッパーのダイヤルが２時の平面図である。
【図５】超硬合金４側面替刃式タイルニッパーのダイヤルの構造詳細図である。
【図６】超硬合金４側面替刃式タイルニッパーの４側面刃平面図である。
【符号の説明】
【００２０】    ▲１▼  超硬合金４側面刃
▲２▼  超硬合金回転刃
▲３▼  ダイヤル
▲４▼  アルミニウム合金
0003174975.tif 000003
【手続補正書】
【提出日】平成24年2月1日(2012.2.1)
【手続補正１】
【補正対象書類名】実用新案登録請求の範囲
【補正対象項目名】全文
【補正方法】変更
【補正の内容】
【実用新案登録請求の範囲】
【請求項１】
超硬合金刃を有したタイルニッパーであって前記超硬合金刃は４側面刃形状であり使用する側面が交換可能に取り付けられていることを特長とするタイルニッパー。
【請求項２】
超硬合金４側面刃の２面はＲ形状になっていて用途に応じて使い分けが出来ることを特長とする請求項１記載のタイルニッパー。
【請求項３】
タイルニッパー先端に回転刃を２個装着し、タイルのＲ加工時の切線を入れることによりタイルを割る時に綺麗に割れることを特長とする請求項１又は２記載のタイルニッパー。
【請求項４】
本体素材を軽量化する為にダイカスト鋳造機でアルミ製品にしたことを特長とする請求項１又は２又は３記載のタイルニッパー。
【請求項５】
本体に刃幅を調整するダイヤルロック機能を取り付けることを特長とする請求項４記載のタイルニッパー。
【請求項６】
ダイヤル機能の０は、ニッパーを使用しない時のロックであることを特長とする請求項５記載のタイルニッパー。
【請求項７】
ダイヤル機能の１は、厚さ１ｍｍから６ｍｍの薄物タイル切断用で刃幅が７ｍｍしか開かないことを特長とする請求項５記載のタイルニッパー。
【請求項８】
ダイヤル機能の２は、厚さ６ｍｍから１２ｍｍの厚物タイル切断用とすることを特長とする請求項５記載のタイルニッパー。
【手続補正２】
【補正対象書類名】図面
【補正対象項目名】全図
【補正方法】変更
【補正の内容】
【図１】
0003174975.tif 000004
【図２】
0003174975.tif 000005
【図３】
0003174975.tif 000006
【図４】
0003174975.tif 000007
【図５】
0003174975.tif 000008
【手続補正３】
【補正対象書類名】明細書
【補正対象項目名】００１９
【補正方法】変更
【補正の内容】
【００１９】
【図１】超硬合金４側面替刃式タイルニッパーの平面図である。
【図２】超硬合金４側面替刃式タイルニッパーのダイヤルが０時の平面図である。
【図３】超硬合金４側面替刃式タイルニッパーのダイヤルが１時の平面図である。
【図４】超硬合金４側面替刃式タイルニッパーのダイヤルが２時の平面図である。
【図５】超硬合金４側面替刃式タイルニッパーの４側面刃平面図である。